(57)【要約】【課題】高所作業となる感受装置の感度調整作業を容易にして作業時間の短縮、人件費の削減を図る。【解決手段】アンテナＴ１、Ｔ２に高周波スイッチ１を介して前段の帯域通過フィルタ２、多段増幅器３、ミキサ４、局部発振器５からなる３系統のスーパヘテロダイン受信回路と、後段の帯域通過フィルタ６、ログアンプ７、検波器８、Ａ／Ｄ変換器９からなる検出回路を接続し、多段増幅器３の増幅レベルをデジタル制御するマイコン１０にリモコン受信回路１１を接続してリモコン送信機１２から送られた受信電界強度の閾値データを多段増幅器３に供給し、この受信電界強度の閾値データに基づいてアンテナ信号の受信感度を調整する。【選択図】図１
2011024131.tif 000002
【特許請求の範囲】
【請求項１】
アンテナ信号の増幅レベルを制御するマイコンにリモコン受信回路を接続し、
このリモコン受信回路が受信した受信電界強度の閾値データをマイコンに入力し、
これより感受特性の調整をリモコン制御可能にしたことを特徴とする携帯電話感受装置。
【請求項２】
前記受信電界強度の閾値データに装置ＩＤを添付し、
これより感受特性の調整対象となる装置をＩＤ識別可能にしたことを特徴とする請求項１記載の携帯電話感受装置。
【発明の詳細な説明】
【技術分野】
【０００１】
本発明は、携帯電話の電波で影響を受ける機器の周辺に設置し、キャリア毎に帯域や強度の異なる携帯電話の電波を感知して携帯電話の使用をＬＥＤ点灯などの手段で報知する携帯電話感受装置に関する。
【背景技術】
【０００２】
携帯電話の電波の性質上、周辺の建物や地形などの障害、基地局までの距離など、環境によってキャリア毎に電界強度が異なる。そのため携帯電話感受装置の感受特性の調整はそれぞれの設置場所（現地）で個別に行う必要がある。
従来の現地調整は感受装置にＰＣを接続して調整具合をモニタし、キャリア別の携帯電話を使用して実際に通話しながら装置に取り付けたスイッチやボリュームを手動操作してキャリア別に受信電界強度の閾値を変更し、感度を調整していた。
【０００３】
一般に振り込め詐欺被害などを防止するために感受装置を設置する場合、ＡＴＭ周辺は設置スペースに余裕がないため、感受装置を天井に取り付ける例が多い。そのため調整作業は高所作業となり、平地作業に比べ脚立を設置したり、天井裏を開けたりする作業が余分に発生する。
その上平地では容易であった１人の作業員がテスト通話しながら調整することが困難になり、調整作業に１人、テスト通話に１人と最低２人の作業員が必要となる。さらに天井裏等の作業の場合、そのための工事要員も別途必要となる。
【発明の開示】
【発明が解決しようとする課題】
【０００４】
解決しようとする問題点は以上のような点であり、本発明は、高所作業となる感受装置の感度調整作業を容易にして作業時間の短縮、人件費の削減を図ることを目的になされたものである。
【課題を解決するための手段】
【０００５】
そのため本発明は、アンテナ信号の増幅レベルを制御するマイコンにリモコン受信回路を接続し、このリモコン受信回路が受信した受信電界強度の閾値データをマイコンに入力し、これより感受特性の調整をリモコン制御可能にしたことを最も主要な特徴とする。
【発明の効果】
【０００６】
本発明は、感受特性の調整をリモコン制御可能にしたので、感受装置に手が届かない平地でも作業できるようになる。そのため感度調整とテスト通話が１人ででき、高所作業に必要な作業や人員も削減できる。その結果、従来に比べ作業時間が短縮し、人件費も抑制される。その上作業が大掛かりでなくなるので銀行窓口業務時間内やＡＴＭサービス時間内、２４時間営業のコンビニなどでもできるようになる。
また、ロータリースイッチやボリュームなど、手動操作して調整する場合必要であった部品点数も減らせるので装置をより小型化、低コスト化できる。
【図面の簡単な説明】
【０００７】
【図１】本発明を実施した携帯電話感受装置のブロック図である。
【図２】ダイバーシチアンテナの構成図である。
【図３】ダイバーシチ受信の信号波形図である。
【図４】リモコン送信機の正面図である。
【発明を実施するための最良の形態】
【０００８】
以下、本発明の実施の形態について説明する。
【０００９】
図１に、本発明を実施した携帯電話感受装置のブロック図を示す。
携帯電話感受装置は、アンテナＴ１、Ｔ２に高周波スイッチ１を介して前段の帯域通過フィルタ２、多段増幅器３、ミキサ４、局部発振器５からなる３系統のスーパヘテロダイン受信回路と、後段の帯域通過フィルタ６、ログアンプ７、検波器８、Ａ／Ｄ変換器９からなる検出回路を接続し、多段増幅器３の増幅レベルをデジタル制御するマイコン１０にリモコン受信回路１１を接続してリモコン送信機１２から送られた受信電界強度の閾値データを多段増幅器３に供給し、この受信電界強度の閾値データに基づいてアンテナ信号の受信感度を調整する。
マイコン１０は、Ｉ／Ｏ回路１３を接続して入力側に焦電型赤外線センサなどの人感センサ１４、出力側に表示機や警報機を駆動するリレー接点出力１５、信号検出表示用や電源表示用のＬＥＤランプ１６をそれぞれ接続する。
【００１０】
携帯電話感受装置は以上のような構成で、２枚の垂直・水平アンテナＴ１、Ｔ２を高周波スイッチ１で切換え、受信した信号波を現在携帯電話に割り当てられている８００ＭＨｚ帯、１．５ＧＨｚ帯、１．９ＧＨｚ帯の帯域通過フィルタ２に入力してそれぞれの帯域を選択した後、多段増幅器３で適切なレベルに増幅し、ミキサ４で局部発振器５の局部発信波と混合して一定の中間周波に変換する。そして帯域通過フィルタ６で中間周波のみを選択した後、ログアンプ７に入力して対数増幅し、検波器８で復調してＲＳＳＩ電圧を出力する。
ＲＳＳＩ電圧はＡ／Ｄ変換器９でデジタル信号に変換し、マイコン１０に入力して受信レベル、受信時間、受信タイミングなどを判定する。
なお、図１のブロック図には３系統のスーパヘテロダイン受信回路を示しているが、１．５ＧＨｚ帯は将来的になくなる方向なので、１．５ＧＨｚ帯を省略して２系統の回路構成としてもよい。
【００１１】
アンテナＴ１、Ｔ２は、８００Ｍ〜２．２ＧＨｚ帯で共振する垂直・水平いずれの方向の偏波も検出可能なダイバーシチアンテナとし、図２に示すように、２本の長さ１／４波長のアンテナエレメントａを垂直・水平に配置してフィルム基板ｂに装着し、各アンテナエレメントａの給電点に高周波スイッチ１に接続する同軸ケーブルｃの一端を接続する。
このアンテナ装置と一体の感受装置をＡＴＭブースの天井などに取り付けて携帯電話の電波を検出する。
ダイバーシチアンテナは、垂直・水平のアンテナエレメントａで垂直・水平いずれの方向の偏波も検出できるため、電話機の姿勢に拘わらず、電話機が放射する垂直偏波の電波を確実に検出できる。これにより安定した受信感度が得られる。
【００１２】
高周波スイッチ１は、マイコン１０の制御で垂直・水平のアンテナエレメントａを時分割で切換え、偏波面によって垂直と水平偏波のどちらかの電波を受信する偏波ダイバーシチを実現する。
図３に、ダイバーシチ受信の信号波形を図示する。図３の上段はＲＳＳＩ出力波形、下段は垂直・水平のアンテナエレメントａを切換えるための信号波形である。
図３には、携帯電話を持つ手の角度を変えたとき、垂直・水平のアンテナエレメントａが受信する電波のＲＳＳＩ出力レベルの大小関係が入れ替わる状態が示されている。これによりダイバーシチ受信による電波の検出がデッドポイントの低減に大きな効果があることが分かる。
【００１３】
帯域通過フィルタ２は、帯域外では急峻で大きな減衰量が得られるＳＡＷフィルタで構成し、８００ＭＨｚ帯、１．５ＧＨｚ帯、１．９ＧＨｚ帯の信号波のみを通過させて携帯電話以外の信号波を排除する。また、後段の帯域通過フィルタ６は中間周波以外の信号波を排除する。
【００１４】
多段増幅器３は、帯域通過フィルタ２が出力した微弱な高周波信号波を入力してそれをリモコン送信機１２で設定した受信電界強度の閾値データと一致するレベルに多段階的に増幅するもので、ＤＳＰなどで構成して増幅量を一定量（例えば１ｄＢ）ずつ段階的（例えば５０ステップ）に変化可能に制御する。
【００１５】
ミキサ４は、多段増幅器３が出力した信号波と局部発振器５が出力した局部発信波を混合して両方の信号の周波数差を一定の低い周波数の信号波（中間周波）に変換する。
【００１６】
局部発振器５は、ＰＬＬ制御により受信した信号波の周波数に対応した一定の周波数にロックされた局部発信波を出力する。
【００１７】
ログアンプ７は、微小レベル信号ほど高い増幅率で増幅するもので、微小な中間周波をより容易に取り出せるように対数増幅する。
【００１８】
検波器８は、ログアンプ７が出力した中間周波を復調して高周波信号電圧の電界レベルを直流電圧値に変換したＲＳＳＩ電圧を出力する。
ＲＳＳＩ電圧は、Ａ／Ｄ変換器９によりデジタル化され、マイコン１０に入力される。
【００１９】
マイコン１０は、ＣＰＵ，ＲＡＭ，ＲＯＭを備え、ＲＯＭに記憶されたプログラムの制御で高周波スイッチ１や多段増幅器３の増幅量を制御するとともに、入力されたＲＳＳＩ電圧の受信レベル、受信時間、受信タイミングなどを判定する。
判定した結果、受信電波がそれぞれ着信、発信、位置登録、通話時に発射された電波かどうかを識別し、通話時の発射電波を検知したときのみリレー接点出力８やＬＥＤランプ９を介して光、音、振動、情報転送などの手段でアラームを出力する。
これにより携帯電話の単なる持ち込みなど、通話時以外にアラームを出力する誤作動を回避する。また、人感センサ１４で人の存在を検知したときだけに感受動作を限定し、無人状態での誤作動を防止する。
【００２０】
リモコン受信回路１１は、リモコン送信機１２から送られた制御信号を受信してシリアルデータ（リモコンパルス信号）に変換し、これをデコードしてマイコン１０に供給する。
【００２１】
リモコン送信機１２の制御信号にはキャリア別受信電界強度の閾値データの他に、調整対象となる感受装置を個別に認識する装置ＩＤが添付される。
感受装置は受信時に自身のＩＤと照合して合致したときのみ受信した制御信号を受け付ける。これによりＡＴＭブース毎に設置され、作業現場に多数存在する調整対象外の感受装置が誤って感度調整される事故を未然に防止する。
【００２２】
装置ＩＤは感受装置毎にラベル表示され、それを手入力して制御信号に添付する。
あるいは感受装置毎にバーコードもしくはＩＣタグを貼付し、それをリモコン送信機１２が具備するリーダにかざして装置ＩＤを読み取り、それを制御信号に添付してもよい。
【００２３】
リモコン送信機１２は、図４（ａ）に示すように、正面にＬＥＤレベルインジケータからなる表示部１７、Ｕｐ・Ｄｏｗｎボタン１８、モード選択ボタン１９、決定ボタン２０を配置する構成で、モード選択ボタン１９を押して設定モード（調整対象装置ＩＤ、調整対象キャリア番号、受信電界強度の閾値）を選択し、Ｕｐ・Ｄｏｗｎボタン１８を操作して装置ＩＤ、キャリア番号、受信電界強度の閾値などの数値を調整し、決定ボタン２０を押して赤外線や電波を媒体とする制御信号を感受装置に向けて送信する。
あるいは、図４（ｂ）に示すように、正面に７セグメントＬＥＤからなる表示部１７、Ｕｐ・Ｄｏｗｎボタン１８、モード選択ボタン１９、決定ボタン２０を配置してもよい。
【符号の説明】
【００２４】
１      高周波スイッチ
２      帯域通過フィルタ
３      多段増幅器
４      ミキサ
５      局部発振器
６      帯域通過フィルタ
７      ログアンプ
８      検波器
９      Ａ／Ｄ変換器
１０      マイコン
１１      リモコン受信回路
１２      リモコン送信機
１３      Ｉ／Ｏ回路
１４      人感センサ
１５      リレー接点出力
１６      ＬＥＤランプ
１７      表示部
１８      Ｕｐ・Ｄｏｗｎボタン
１９      モード選択ボタン
２０      決定ボタン
ａ      アンテナエレメント
ｂ      フィルム基板
ｃ      同軸ケーブル
Ｔ      アンテナ
【図１】
2011024131.tif 000003
【図２】
2011024131.tif 000004
【図３】
2011024131.tif 000005
【図４】
2011024131.tif 000006